【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
ネットワークシステムにおいて、
１以上のプロセッサと、
指示を格納した１以上のメモリリソースであって、前記１以上のプロセッサによって前記指示が実行された際に、前記ネットワークシステムに、
所与の地理的領域内において動作する対応する車輌内において各コンピューティング装置が運ばれているまたは前記対応する車輌と各コンピューティング装置が関連付けられている複数のコンピューティング装置からネットワークを介して受信した１組のセンサデータを維持する工程と、
ユーザのユーザ装置から、第１の期間を指定する第１のユーザ入力を受信する工程と、
前記ネットワークシステムによって維持されている前記１組のセンサデータから、前記第１のユーザ入力によって指定されている前記第１の期間に基づいて識別された第１のサブセットのセンサデータに基づいて、前記第１の期間中における前記所与の地理的領域と関連付けられた第１の１組の交通情報を決定する工程と、
前記ユーザ装置に、前記第１の１組の交通情報を呈示させる工程と
を行わせる前記指示を格納した１以上のメモリリソースと
を含むことを特徴とするネットワークシステム。
【請求項２】
前記第１の１組の交通情報が、前記第１の期間中における前記所与の地理的領域内の１以上の道路に沿って走行する車輌の平均速度を含む、請求項１記載のネットワークシステム。
【請求項３】
前記ユーザ装置に、前記第１の１組の交通情報を呈示させる前記工程が、前記所与の地理的領域の少なくとも一部分の地図を表示させることを含み、
前記地図内における１以上の道路が、前記第１の１組の交通情報に基づき対応する色で表示される、
請求項２記載のネットワークシステム。
【請求項４】
前記１以上の道路のうちの各道路が、前記ユーザ装置によって前記地図内に、前記１以上の道路のうちの前記各道路に沿って走行する車輌の平均速度にそれぞれ基づき対応する色で表示される、請求項３記載のネットワークシステム。
【請求項５】
前記第１の１組の交通情報を呈示させる前記工程が、前記第１の期間中における前記１以上の道路のうちの第１の道路に沿って走行する車輌の平均速度と、前記第１の道路に沿って走行する車輌の第２の平均速度との、第１の比較を呈示させることを含む、請求項３記載のネットワークシステム。
【請求項６】
前記第１の道路が、前記ユーザ装置によって前記地図内に、前記第１の比較に基づき第１の色で表示される、請求項５記載のネットワークシステム。
【請求項７】
前記実行された指示が、前記ネットワークシステムに、
前記ユーザの前記ユーザ装置から、第２の期間を指定する第２のユーザ入力を受信する工程と、
前記ネットワークシステムによって維持されている前記１組のセンサデータから、前記第２のユーザ入力によって指定されている前記第２の期間に基づいて識別された第２のサブセットのセンサデータに基づいて、前記第２の期間中における前記所与の地理的領域と関連付けられた第２の１組の交通情報を決定する工程と、
前記ユーザ装置に、前記第１の１組の交通情報と前記第２の１組の交通情報との比較を呈示させる工程と
を更に行わせる、請求項１記載のネットワークシステム。
【請求項８】
前記第１の１組の交通情報と前記第２の１組の交通情報との前記比較が、前記第１の１組の交通情報および前記第２の１組の交通情報のそれぞれの値の間の１以上の差を示す１以上の棒グラフを含む、請求項７記載のネットワークシステム。
【請求項９】
前記１以上の棒グラフが、前記第１の１組の交通情報に基づき第１の色で表示される第１の１組の視覚的な棒と、前記第２の１組の交通情報に基づき第２の色で表示される第２の１組の視覚的な棒とを含む、請求項８記載のネットワークシステム。
【請求項１０】
前記実行された指示が、前記ネットワークシステムに、
前記ユーザの前記ユーザ装置に、前記第１の期間を指定する前記第１のユーザ入力を含む複数のユーザ入力を入力するため、および、前記所与の地理的領域の少なくとも一部分に関する交通情報を呈示するためのユーザインターフェースを呈示させる工程
を更に行わせ、
前記ユーザインターフェースが、前記第１の期間を日付の範囲として指定する前記第１のユーザ入力を入力するための第１の１組のユーザインターフェース機能を含む、
請求項１記載のネットワークシステム。
【請求項１１】
前記ユーザインターフェースが、前記所与の地理的領域を指定する第２のユーザ入力を入力するための第２の１組のユーザインターフェース機能を含む、請求項１０記載のネットワークシステム。
【請求項１２】
前記ユーザインターフェースが、道路名を指定する第２のユーザ入力を受信するための第２の１組のユーザインターフェース機能を含む、請求項１０記載のネットワークシステム。
【請求項１３】
前記ユーザインターフェースが、前記所与の地理的領域の少なくとも一部分のインタラクティブな地図を含む、請求項１０記載のネットワークシステム。
【請求項１４】
前記インタラクティブな地図が、前記ユーザによる前記インタラクティブな地図の１以上の部分を選択する際のインタラクションが可能なものであり、前記１以上の部分の選択が、第２のユーザ入力として前記ネットワークシステムに送信される、請求項１３記載のネットワークシステム。
【請求項１５】
ネットワークシステムによって実施される方法であって、
所与の地理的領域内において動作する対応する車輌内において各コンピューティング装置が運ばれているまたは前記対応する車輌と各コンピューティング装置が関連付けられている複数のコンピューティング装置からネットワークを介して受信した１組のセンサデータを維持する工程と、
ユーザのユーザ装置から、第１の期間を指定する第１のユーザ入力を受信する工程と、
前記ネットワークシステムによって維持されている前記１組のセンサデータから、前記第１のユーザ入力によって指定されている前記第１の期間に基づいて識別された第１のサブセットのセンサデータに基づいて、前記第１の期間中における前記所与の地理的領域と関連付けられた第１の１組の交通情報を決定する工程と、
前記ユーザ装置に、前記第１の１組の交通情報を呈示させる工程と
を含むことを特徴とする方法。
【請求項１６】
前記第１の１組の交通情報が、前記第１の期間中における前記所与の地理的領域内の１以上の道路に沿って走行する車輌の平均速度を含む、請求項１５記載の方法。
【請求項１７】
前記ユーザ装置に、前記第１の１組の交通情報を呈示させる前記工程が、前記所与の地理的領域の少なくとも一部分の地図を表示させることを含み、
前記地図内における１以上の道路が、前記第１の１組の交通情報に基づき対応する色で表示され、
前記１以上の道路のうちの各道路が、前記ユーザ装置によって前記地図内に、前記１以上の道路のうちの前記各道路に沿って走行する車輌の平均速度にそれぞれ基づき対応する色で表示される、
請求項１６記載の方法。
【請求項１８】
前記ユーザの前記ユーザ装置から、第２の期間を指定する第２のユーザ入力を受信する工程と、
前記ネットワークシステムによって維持されている前記１組のセンサデータから、前記第２のユーザ入力によって指定されている前記第２の期間に基づいて識別された第２のサブセットのセンサデータに基づいて、前記第２の期間中における前記所与の地理的領域と関連付けられた第２の１組の交通情報を決定する工程と、
前記ユーザ装置に、前記第１の１組の交通情報と前記第２の１組の交通情報との比較を呈示させる工程と
を更に含む、請求項１５記載の方法。
【請求項１９】
前記ユーザの前記ユーザ装置に、前記第１の期間を指定する前記第１のユーザ入力を含む複数のユーザ入力を入力するため、および、前記所与の地理的領域の少なくとも一部分に関する交通情報を呈示するためのユーザインターフェースを呈示させる工程を更に含み、
前記ユーザインターフェースが、前記第１の期間を日付の範囲として指定する前記第１のユーザ入力を入力するための第１の１組のユーザインターフェース機能を含む、
請求項１５記載の方法。
【請求項２０】
指示を格納した非一過性コンピュータ可読媒体であって、ネットワークシステムの１以上のプロセッサによって前記指示が実行された際に、前記ネットワークシステムに、
所与の地理的領域内において動作する対応する車輌内において各コンピューティング装置が運ばれているまたは前記対応する車輌と各コンピューティング装置が関連付けられている複数のコンピューティング装置からネットワークを介して受信した１組のセンサデータを維持する工程と、
ユーザのユーザ装置から、第１の期間を指定する第１のユーザ入力を受信する工程と、
前記ネットワークシステムによって維持されている前記１組のセンサデータから、前記第１のユーザ入力によって指定されている前記第１の期間に基づいて識別された第１のサブセットのセンサデータに基づいて、前記第１の期間中における前記所与の地理的領域と関連付けられた第１の１組の交通情報を決定する工程と、
前記ユーザ装置に、前記第１の１組の交通情報を呈示させる工程と、
を行わせる前記指示を格納したことを特徴とする非一過性コンピュータ可読媒体。